(57)【要約】【課題】  フェライトコアを取付け対象の最適な位置に固定可能にする固定具を提供する。【解決手段】  フェライトコア固定具１に撓み可能な腕部５、６を形成し、この両腕部５、６をフェライトコア１０の中空部１１に挿入する。これによりフェライトコア１０が保持され、被固定部３に形成されたネジ孔７を使用して取付け対象にフェライトコア固定具１を固定する。【選択図】  図６
2006086224.tif 000002
【特許請求の範囲】
【請求項１】
中空部を有し、該中空部にケーブルが貫通される部材を動きを規制して保持する保持部と、
前記保持部と可撓部を介して接続し、取付け対象に固定される被固定部とから構成される部材固定具。
【請求項２】
前記保持部は前記中空部に挿通されて前記部材を保持する請求項１記載の部材固定具。
【請求項３】
前記保持部は、伸縮する可撓性を有し、縮んだ状態で前記中空部へ挿通され、挿通された状態で縮んだ状態から元の状態に復帰することにより前記部材を規制した状態で保持する請求項２記載の部材固定具。
【請求項４】
前記保持部は、
前記被固定部と同一平面上に形成された中央保持部と、
前記中央保持部の両側に折り曲げ可能に形成され、可撓性を有する一対の腕部とから成り、
前記一対の腕部は前記部材を抱えた状態で互いに係止可能である請求項１記載の部材固定具。
【請求項５】
前記中央保持部の両側に、前記ケーブルの長手方向に直交する方向への前記部材の移動を規制する第１の規制部を設けた請求項４記載の部材固定具。
【請求項６】
前記保持部に、前記ケーブルの長手方向への前記部材の移動を規制する第２の規制部を設けた請求項４記載の部材固定具。
【請求項７】
前記第２の規制部は２段階に設けられた請求項６記載の部材固定具。
【請求項８】
前記部材はフェライトコアであり、前記ケーブルはフラットケーブルである請求項１乃至７のいずれかに記載の部材固定具。
【請求項９】
請求項１乃至８のいずれかに記載の部材固定具を搭載した電子機器。
【発明の詳細な説明】
【技術分野】
【０００１】
本発明は、複写機や電子写真プリンタ等の電子機器におけるフェライトコア等の部材を固定する固定具に関するとともに、該固定具を具備する電子機器に関する。
【背景技術】
【０００２】
従来、電子機器等において発生する電気的ノイズを軽減するために、フェライトコアをケーブルに装着することが一般に行われている。フェライトコアを固定する方法としては、例えば、特開２０００−１７３８２７号公報に開示される方法がある。これは、フェライトコアの中空部にケーブルを貫通させた状態でフェライトコアを収納ケースに収納し、その収納ケースの下面に設けた係合部の爪部を電子機器筐体または基板に係合させることによりフェライトコアを固定するというものである。
【特許文献１】特開２０００−１７３８２７号公報
【発明の開示】
【発明が解決しようとする課題】
【０００３】
しかしながら上記従来のフェライトコア固定構造においては、フェライトコアを収納する収納ケースに固定用の係合部が設けられているので、フェライトコアを固定したい場所に収納ケースごと固定しなければならない。しかしながらフェライトコアを固定したい場所が非常に狭い場合には収納ケースを固定できない。このため収納ケースを固定できるだけのスペースのある場所を選んでフェライトコアを固定していた。
【課題を解決するための手段】
【０００４】
上記課題を解決するために、本発明の部材固定具は、中空部を有し、該中空部にケーブルが貫通される部材を動きを規制して保持する保持部と、前記保持部と可撓部を介して接続し、取付け対象に固定される被固定部とから構成される。保持部は、部材の中空部に挿通されて該部材を保持するようにする。この場合、保持部は、伸縮する可撓性を有し、縮んだ状態で部材の中空部へ挿通され、挿通された状態で縮んだ状態から元の状態に復帰することにより部材を保持するようにするとよい。
【０００５】
また保持部を、被固定部と同一平面上に形成された中央保持部と、この中央保持部の両側に折り曲げ可能に形成され、可撓性を有する一対の腕部とから構成し、この一対の腕部を部材を抱えた状態で互いに係止可能に構成する。
【発明の効果】
【０００６】
上記構成の本発明によれば、保持部で部材を動きを規制しつつ保持し、保持部と同一平面上に形成された被固定部で取付け対象に固定されるので、部材を固定する場所として広いスペースがなくても固定可能である。
【発明を実施するための最良の形態】
【０００７】
以下、本発明を実施するための形態を図面に従って説明する。以下に説明する各実施の形態では、中空部を有する部材としてフェライトコアを例にとって説明する。図１は本発明の第１の実施の形態のフェライトコア固定具を示す斜視図、図２はフェライトコアを示す正面図、図３は第１の実施の形態のフェライトコア固定具を示す正面図である。
【０００８】
図１において、フェライトコア固定具１は、フィルムシート状の平板形をした弾性部材から形成され、保持部２と被固定部３から構成される。保持部２は、溝部４を間にして形成された２つの腕部５、６を有し、腕部５、６の形状は互いに線対称に形成されている。腕部５、６の先端側（図における上側）にはそれぞれ面取り部５ａ、６ａおよびカギ爪部５ｂ、６ｂが形成され、腕部５、６の中央外側には溝部４と平行な嵌合部５ｃ、６ｃが形成されている。嵌合部５ｃ、６ｃの下側にはそれぞれ棚部５ｄ、６ｄが形成されている。
【０００９】
被固定部３には、フェライトコア固定具１を取付け対象に固定するためのネジ孔７が形成されている。ネジ孔７は保持部２の溝部４の延長線上から片側へずれた位置に形成されている。
【００１０】
本実施の形態のフェライトコア固定具１の材質はポリエチレンテレフタラート（ＰＥＴ）からなっている。しかしながら材質としては、ＡＢＳ樹脂、エンジニアリングプラスチック等プラスチック材料であればよく、さらに同等の性質を有していれば金属製のフィルム等でも構わない。
【００１１】
図３はフェライトコアの中空部にフェライトコア固定具１を挿通する様子を示す。図２、図３において、フェライトコア１０は扁平の長円形の中空部１１を有している。中空部１１の幅（長径）Ｌ１は２０ｍｍ、中空部１１の厚さ（短径）ｔは１．０ｍｍである。なおフェライトコア固定具１の厚さは０．５ｍｍに形成され、後述するケーブルの厚さは０．３ｍｍに設定されている。
【００１２】
ここでフェライトコア固定具１とフェライトコア１０の中空部１１との寸法関係について説明する。フェライトコア固定具１の保持部２の最大幅、即ち、カギ爪部５ｂからカギ爪部６ｂまでの距離Ｌ２は、フェライトコア１０の中空部１１の幅Ｌ１よりも大きく設定されている。フェライトコア固定具１の腕部５、６は、間に溝部４が形成されているために、互いに接近する方向に接触するまで撓み可能となっている。腕部５、６が互いに接触したとき（二点鎖線で示す状態になったとき）のカギ爪部５ｂからカギ爪部６ｂまでの距離Ｌ３は、中空部１１の幅Ｌ１よりも小さくなるように溝部４の幅Ｌ４が設定されている。
【００１３】
即ち、Ｌ１＜Ｌ２、Ｌ１＞Ｌ３、Ｌ３＝Ｌ２−Ｌ４が成り立つようにそれぞれの幅を設定している。
【００１４】
また嵌合部５ｃから嵌合部６ｃまでの距離Ｌ５は、Ｌ２よりも短く、中空部１１の幅Ｌ１とほぼ同じ寸法か若干大きく設定されている。このように寸法設定することにより、この嵌合部５ｃ、６ｃがフェライトコア１０の中空部１１に挿通したときに、嵌合部５ｃ、６ｃと中空部１１の外周との間にガタツキがなくなる。また棚部５ｄから棚部６ｄまでの距離Ｌ６は、中空部１１の幅Ｌ１よりも大きく設定されている。
【００１５】
次に第１の実施の形態におけるフェライトコアを固定する動作を説明する。図４はフェライトコア固定具の保持部がフェライトコアの中空部に挿通された状態を示す。図３において、フラットケーブル（図示せず）をフェライトコア１０の中空部１１に貫通させた後、フェライトコア１０の中空部１１にフェライトコア固定具１の保持部２を挿通させる。
【００１６】
まずフェライトコア固定具１の面取り部５ａ、６ａをフェライトコア１０の中空部１１の両端部に当接させ、この状態から保持部２を中空部１１に押し込む。この押し込み動作により腕部５、６は互いに接近する方向に撓み、図３に二点鎖線で示す互いに接触した状態になる。この状態で保持部１１に挿通可能となり、両腕部５、６は中空部１１内に入り込む。
【００１７】
カギ爪部５ｂ、６ｂが中空部１１を通過すると、両腕部５、６の復元力により、図４に示すように、両腕部５、６は互いに離れて元の状態に復帰する。これによりカギ爪部５ｂ、６ｂ間の距離が広がり、保持部２が中空部１１から抜けない状態になる。このとき、嵌合部５ｃ、６ｃ間の距離Ｌ５が中空部１１の幅Ｌ１よりも若干大きく設定されている場合には嵌合部５ｃ、６ｃが中空部１１の外周に圧接し、ガタツキがなくなる。なお嵌合部５ｃ、６ｃの長さ（カギ爪部５ｂ、６ｂから棚部５ｄ、６ｄまでの距離）はフェライトコア１０の長さより若干長く設定してあり、フェライトコア１０はカギ爪部５ｂ、６ｂから棚部５ｄ、６ｄ間の嵌合部５ｃ、６ｃで保持される。
【００１８】
フラットケーブル１２を貫通したフェライトコア１０がフェライトコア固定具１により保持された状態を図５、図６に示す。両図において、フラットケーブル１２およびフェライトコア１０はフェライトコア固定具１により保持され、このとき被固定部３のネジ孔７はフラットケーブル１２から外れた位置にあり、フェライトコア固定具１を取付け対象に固定する際にフラットケーブル１２が邪魔になることはない。なおフェライトコア１０およびフェライトコア固定具１はフラットケーブル１２に対して移動可能である。
【００１９】
次にフェライトコア固定具１の被固定部３に形成されたネジ孔７を使用して取付け対象にフェライトコア固定具１をネジ固定する。取付け対象として電子写真プリンタを例にした場合を図７に一部切り欠いた状態で示す。図７において、電子写真プリンタ２０の操作部ケース２１の内側に操作部基板２２が配置されており、操作部基板２２にはコネクタ２３が具備されている。このコネクタ２３にフラットケーブル１２が接続されている。
【００２０】
プリンタ２０の底部にはコントロール基板２４が配置され、このコントロール基板２４にはコネクタ２５が具備され、フラットケーブル１２はこのコネクタ２５と操作部基板２２のコネクタ２３とを接続する。フェライトコア１０はこのフラットケーブル１２が挿通され、このフェライトコア１０をフェライトコア固定具１が保持している。フェライトコア固定具１は、プリンタ２０の側部のフレーム２６にネジ２７により固定される。図７に示す例の場合、フレーム２６の取付け面は水平で、フェライトコア固定具１はほぼ垂直に折り曲げられた状態でネジ２７により固定されている。
【００２１】
フェライトコア１０およびフェライトコア固定具１をフラットケーブル１２に対して移動することにより、最適な位置にフェライトコア１０を固定することができる。またフェライトコア固定具１の被固定部３の長さ又は形状を任意に設定することによっても最適な位置に固定可能である。
【００２２】
フェライトコア１０を取り外す場合は上記の動作を逆に行えばよい。すなわち、フェライトコア固定具１の被固定部３におけるネジを取り外し、フェライトコア固定具１を取付け対象から取り外す。そしてフェライトコア固定具１の両腕部５、６を窄めてフェライトコア固定具１をフェライトコア１０の中空部１１から抜き取ることにより、取り外しを行う。
【００２３】
またフェライトコア１０を取り外す場合、フェライトコア固定具１を取付け対象に固定した状態でフェライトコア１０をフェライトコア固定具１から引き抜くようにようにしてもフェライトコア１０およびフラットケーブル１２の取り外しは可能である。特に取付け対象である装置にメインテナンスが必要な場合に、固定具１を装置に固定したままでフェライトコア１０だけ取り外すことにより、メインテナンスを容易に行うことができる。
【００２４】
以上のように第１の実施の形態によれば、フェライトコア１０の中空部１１にフェライトコア固定具１の保持部２を差し込むだけでフェライトコア１０を保持でき、フェライトコア固定具１の被固定部３で取付け対象に固定するので、容易にフェライトコア１０を固定することができる。またフェライトコア固定具１がフィルムシート状の平板形から構成されているので、製造上、専用の金型を必要とせず、安価な製造が可能であるとともに、フラットケーブル１２が撓んでいる場合でもその撓みに合わせてフェライトコア固定具１がある程度変形することが可能であり、フラットケーブル１２が撓む位置での固定が可能である。
【００２５】
さらに、フェライトコア固定具１の被固定部３の長さ又は形状を任意に設定可能であり、またネジ孔７の位置も任意に設定可能であるので、取付け対象の最適な位置にフェライトコア１０を固定することが可能になる。
【００２６】
次に第２の実施の形態を説明する。図８は第２の実施の形態のフェライトコア固定部を示す斜視図である。図８において、第２の実施の形態のフェライトコア固定具３１は、第１の実施の形態と同様に、フィルムシート状の平板形をした弾性部材から構成され、保持部３２と被固定部３３とから構成される。保持部３２は、中央保持部３４とその両側に折り曲げ可能に形成された一対の腕部３５、３６とを有する。両腕部３５、３６の基部にはそれぞれ角孔３５ａ、３６ａが形成されており、腕部３５の先端部にはカギ爪部３５ｂが形成され、他方の腕部３６には切り込み部３６ｃを有する角孔３６ｂが形成されている。カギ爪部３５ｂは、切り込み部３６ｃに挿入可能であり、カギ爪部３５ｂの基部３５ｃが腕部３６の角孔３６ｂに入り込むことにより、腕部３５と腕部３６が互いに係止される。
【００２７】
角孔３５ａ、３６ａの高さは、フェライトコア１０の厚さより僅かに大きく設定され、角孔３５ａ、３６ａの幅（図８における縦方向の長さ）は、フェライトコア１０の長さよりも僅かの大きく設定されている。そのためフェライトコア１０は角孔３５ａ、３６ａの中に入り込むことができる。中央保持部３４の幅（両腕部３５、３６間の距離）は、フラットケーブル１２より僅かに大きい幅を有し、かつフェライトコア１０の幅より若干短く設定されている。
【００２８】
中央保持部３４の両側にはまた曲げ起こし部３７、３８がそれぞれ角孔３５ａ、３６ａに入り込むように形成されており、曲げ起こし部３７、３８の長さはフェライトコア１０の長さとほぼ同じに設定されている。一方の曲げ起こし部３７から他方の曲げ起こし部３８までの長さは、フェライトコア１０の幅とほぼ同じに設定されている。被固定部３３には、第１の実施の形態と同様に、フラットケーブルが配置される位置から片側へずれた位置にネジ孔７が形成されている。
【００２９】
次に第２の実施の形態におけるフェライトコア固定動作を説明する。図９、図１０は第２の実施の形態におけるフェライトコア固定動作を示す斜視図である。両図において、中空部１１にフラットケーブル１２を貫通したフェライトコア１０に対して、フェライトコア固定具３１の中央保持部３４を当て、図９に示すように、両方の腕部３５、３６を折り曲げる。このときフェライトコア１０の両側部は角孔３５ａ、３６ａに入り込むので、腕部３５、３６は容易に折り曲げられる。またこのときフェライトコア１０は曲げ起こし部３７、３８の間に保持され、これによりフェライトコア１０は左右方向への動きを規制される。両腕部３５、３６を折り曲げることにより、フェライトコア１０は上下方向への動きを規制される。
【００３０】
次に腕部３５のカギ爪部３５ｂを腕部３６の切り込み部３６ｃに挿入し、さらにカギ爪部３５ｂの基部３５ｃを角孔３６ｂに入り込ませ、図１０に示す状態にする。これによりフェライトコア１０を保持した状態で、腕部３５と腕部３６が互いに係止される。
【００３１】
次に第１の実施の形態の場合と同様に、フェライトコア固定具３１の被固定部３３に形成されたネジ孔７を使用して取付け対象にフェライトコア固定具３１をネジ固定する。
【００３２】
フェライトコア１０を取り外す場合は上記の動作を逆に行えばよい。すなわち、フェライトコア固定具３１の被固定部３３におけるネジを取り外し、フェライトコア固定具３１を取付け対象から取り外す。そしてフェライトコア固定具３１の腕部３５のカギ爪部３５ｂを腕部３６の角孔３６ｂから抜き出し、両腕部３５、３６を広げてフェライトコア１０の保持状態を解除する。また、フェライトコア固定具３１を取付け対象に固定したままで、フェライトコア１０およびフラットケーブル１２のみ取り外すようにしてもよい。
【００３３】
以上のように第２の実施の形態によれば、上記第１の実施の形態の有する効果に加えて、フェライトコア１０を外側から保持するようにしたので、フェライトコア１０の中空部１１の大きさに関係なくフェライトコア１０を固定することができる。またフェライトコア１０を上下方向へも左右方向へも移動しないように保持するので、取付け対象である装置の振動や衝撃等によりフェライトコア１０が近隣の部品と直接接触することにより破損を防止することができる。さらに、両腕部３５、３６を係止するだけでフェライトコア１０を保持できるので、保持動作が極めて容易である効果がある。
【００３４】
次に第３の実施の形態を説明する。図１１は第３の実施の形態のフェライトコア固定具を示す斜視図である。図１１において、第３の実施の形態のフェライトコア固定具４１は、第２の実施の係態と同様に、フィルムシート状の平板形をした弾性部材から形成され、保持部４２と被固定部４３とから構成される。保持部４２は、中央保持部４４とその両側に折り曲げ可能に形成された一対の腕部４５、４６とを有する。両腕部４５、４６の基部にはそれぞれ角孔４５ａ、４６ａが形成されており、腕部４５の先端部にはカギ爪部４５ｂが形成され、他方の腕部４６には切り込み部４６ｃを有する角孔４６ｂが形成されている。カギ爪部４５ｂは、切り込み部４６ｃに挿入可能であり、カギ爪部４５ｂの基部４５ｃが腕部４６の角孔４６ｂに入り込むことにより、腕部４５と腕部４６が互いに係止される。
【００３５】
第２の実施の形態と同様に、角孔４５ａ、４６ａの高さは、フェライトコア１０の厚さより僅かに大きく設定され、角孔４５ａ、４６ａの幅（図１１における縦方向の長さ）は、フェライトコア１０の長さよりも僅かの大きく設定されている。そのためフェライトコア１０は角孔４５ａ、４６ａの中に入り込むことができる。中央保持部４４の幅（両腕部４５、４６間の距離）は、フラットケーブル１２より僅かに大きい幅を有し、かつフェライトコア１０の幅より若干短く設定されている。
【００３６】
中央保持部４４の両側には２種類の曲げ起こし部４５ｄ、４５ｅ、４６ｄ、４６ｅが段違いにそれぞれ角孔３５ａ、３６ａに入り込むように形成されている。一方の曲げ起こし部４５ｅから他方の曲げ起こし部４６ｅまでの長さは、フェライトコア１０の幅より僅かに大きく設定されており、フェライトコア１０を外側から抱え込むことによりフェライトコア１０が左右方向に抜き出ることを防止する。またもう一種類の曲げ起こし部４５ｄと曲げ起こし部４６ｄは、互いの間の距離は腕部４５、４６間の距離とほぼ同じで、高さは曲げ起こし部４５ｅ、４６ｅより低く設定されている。そのため、フェライトコア１０を保持部４２で保持する際にフェライトコア１０の側面部で押し潰される状態になる。曲げ起こし部４５ｄ、４６ｄは、後述する小さい種類のフェライトコアを保持する際に該フェライトコアの移動を規制するために形成されたものである。
【００３７】
被固定部４３には、第１の実施の形態と同様に、フラットケーブルが配置される位置から片側へずれた位置にネジ孔７が形成されている。
【００３８】
次に第３の実施の形態におけるフェライトコア固定動作を説明する。図１２乃至図１４は第３の実施の形態におけるフェライトコア固定動作を示す斜視図である。第３の実施の形態では、高さ方向の大きさの異なる２種類のフェライトコアを固定する動作を説明する。まず高さの高いフェライトコアを固定する場合を説明する。
【００３９】
図１２において、中空部１１にフラットケーブル１２を貫通したフェライトコア１０に対して、フェライトコア固定具４１の中央保持部４４を当て、両方の腕部４５、４６を折り曲げる。このときフェライトコア１０の両側部は角孔４５ａ、４６ａに入り込むので、腕部４５、４６は容易に折り曲げられる。またこのときフェライトコア１０は曲げ起こし部４５ｅ、４６ｅの間に保持され、これによりフェライトコア１０は左右方向への動きを規制される。このときフェライトコア１０は、曲げ起こし部４５ｄ、４６ｄの上に乗った状態になる。両腕部４５、４６を折り曲げることにより、フェライトコア１０は上下方向への動きを規制される。このとき曲げ起こし部４５ｄ、４６ｄの弾性力によりフェライトコア１０は圧接状態に保持される。
【００４０】
次に腕部４５のカギ爪部４５ｂを腕部４６の切り込み部４６ｃに挿入し、さらにカギ爪部４５ｂの基部４５ｃを角孔４６ｂに入り込ませ、図１３に示す状態にする。これによりフェライトコア１０を保持した状態で、腕部４５と腕部４６が互いに係止される。
【００４１】
次に第１の実施の形態の場合と同様に、フェライトコア固定具４１の被固定部４３に形成されたネジ孔７を使用して取付け対象にフェライトコア固定具４１をネジ固定する。
【００４２】
次に高さの低いフェライトコアを固定する場合について説明する。図１４において、高さの低いフェライトコア１４は曲げ起こし部４５ｅと曲げ起こし部４６ｅとの間に保持される。すなわち、曲げ起こし部４５ｅ、４６ｅの長さは、高さに低いフェライトコア１４の高さに合わせた寸法に設定されている。このとき曲げ起こし部４５ｄ、４６ｄは、曲げ起こし部４５ｅ、４６ｅよりも互いの間隔が狭く設定されているので、保持した状態においてフェライトコア１４の上方向への移動を規制する。すなわち、高さの低いフェライトコア１４を保持する場合でも、フェライトコア１４を上下方向および左右方向に動きを規制することができるようになっている。
【００４３】
フェライトコア１０または１４を取り外す場合は上記の動作を逆に行えばよい。すなわち、フェライトコア固定具４１の被固定部４３におけるネジを取り外し、フェライトコア固定具４１を取付け対象から取り外す。そしてフェライトコア固定具４１の腕部４５のカギ爪部４５ｂを腕部４６の角孔４６ｂから抜き出し、両腕部４５、４６を広げてフェライトコア１０または１４の保持状態を解除する。また、フェライトコア固定具４１を取付け対象に固定したままで、フェライトコア１０または１４およびフラットケーブル１２のみ取り外すようにしてもよい。
【００４４】
以上のように第３の実施の形態によれば、第２の実施の形態の有する効果に加えて、フェライトコアを保持するための曲げ起こし部を２種類段違いに設けたことにより、高さの異なる２種類のフェライトコアを固定することが可能となる。その結果、フェライトコアの大きさに合わせたフェライトコア固定具を個別に用意する必要がなく、部品の管理や物流の管理が煩雑にならないで済むという効果がある。さらに、２種類のフェライトコアに対して共通的に使用することができることから、フェライトコア固定具の単価を低減することが可能となる。
【００４５】
上記各実施の形態では、コア部材固定具としてフェライトコアを固定する固定具で説明したが、本発明はこれに限らず、ケーブルを貫通してケーブル上に設置する部材であれば他の部材に対しても適用可能である。
【図面の簡単な説明】
【００４６】
【図１】第１の実施の形態のフェライトコア固定具を示す斜視図である。
【図２】フェライトコアを示す正面図である。
【図３】第１の実施の形態のフェライトコア固定具を示す正面図である。
【図４】フェライトコア固定具の保持部がフェライトコアの中空部に挿通された状態を示す正面図である。
【図５】フェライトコアを保持した状態を示す斜視図である。
【図６】フェライトコアを保持した状態を示す斜視図である。
【図７】フェライトコア固定具を固定した状態を示す説明図である。
【図８】第２の実施の形態のフェライトコア固定部を示す斜視図である。
【図９】第２の実施の形態におけるフェライトコア固定動作を示す斜視図である。
【図１０】第２の実施の形態におけるフェライトコア固定動作を示す斜視図である。
【図１１】第３の実施の形態のフェライトコア固定具を示す斜視図である。
【図１２】第３の実施の形態におけるフェライトコア固定動作を示す斜視図である。
【図１３】第３の実施の形態におけるフェライトコア固定動作を示す斜視図である。
【図１４】第３の実施の形態におけるフェライトコア固定動作を示す斜視図である。
【符号の説明】
【００４７】
１、３１、４１  フェライトコア固定具
２、３２、４２  保持部
３、３３、４３  被固定部
５、６、３５、３６、４５、４６  腕部
１０  フェライトコア
１１  中空部
１２  フラットケーブル
【図１】
2006086224.tif 000003
【図２】
2006086224.tif 000004
【図３】
2006086224.tif 000005
【図４】
2006086224.tif 000006
【図５】
2006086224.tif 000007
【図６】
2006086224.tif 000008
【図７】
2006086224.tif 000009
【図８】
2006086224.tif 000010
【図９】
2006086224.tif 000011
【図１０】
2006086224.tif 000012
【図１１】
2006086224.tif 000013
【図１２】
2006086224.tif 000014
【図１３】
2006086224.tif 000015
【図１４】
2006086224.tif 000016